(57)【特許請求の範囲】
【請求項１】
チャネル状態情報（channel  state  information：ＣＳＩ）フィードバックのための強化された干渉測定（interference  measurement：ＩＭ）を提供する方法であって、
サービングセルが、擬似乱数を生成するステップと、
前記サービングセルが、被サービスユーザーイクイップメント（ＵＥ）が干渉測定を行うために用いるＣＳＩ−ＩＭリソースを、前記ＣＳＩ−ＩＭリソースの位置の値を定義して、前記擬似乱数に従ってサブフレームにおける前記ＣＳＩ−ＩＭリソースの前記位置を時間領域において変化させることによって決定するステップであって、前記ＣＳＩ−ＩＭリソースはゼロパワー（ＺＰ）ＣＳＩ−ＲＳ（reference  signal；参照信号）のリソースエレメントのプールに限定される、ステップと、
無線リソース制御（radio  resource  control：ＲＲＣ）シグナリングを用いて、前記決定されたＣＳＩ−ＩＭリソースを前記被サービスＵＥに送信するステップと、
前記サービングセルが、サービングセル干渉を排除するために、ＲＲＣシグナリングを用いて、前記決定されたＣＳＩ−ＩＭリソースに従って、ＺＰ  ＣＳＩ−ＲＳを送信するステップと、
前記サービングセルが、前記サービングセルから前記被サービスＵＥにより受信されたＣＳＩ−ＩＭと、前記サービングセルから前記被サービスＵＥに送信された前記ＺＰ  ＣＳＩ−ＲＳとを用いて前記被サービスＵＥにより実行された干渉測定に対応するＣＳＩフィードバックを、受信するステップと、
を含む、方法。
【請求項２】
前記サービングセルが、サブフレームに複数のＣＳＩ−ＩＭリソースを設けるステップ、
を更に含み、
前記サービングセルが、サブフレームに設ける前記ＣＳＩ−ＩＭリソースを決定する前記ステップは、
前記サービングセルが、前記サブフレームに関するサブフレーム周期及びオフセットを選択するステップ、
を含む、
請求項１に記載の方法。
【請求項３】
前記サービングセルが、少なくとも２つのＣＳＩ−ＲＳresourceConfigメッセージを用いて、被サービスＵＥに送信されるサブフレームにおいて前記決定されたＣＳＩ−ＩＭリソースの位置を変化させるためのホッピングパターンを決定し、前記決定されたＣＳＩ−ＩＭリソースホッピングパターンを、ＲＲＣシグナリングを用いて前記被サービスＵＥに提供するステップ、
を更に含み、
ホッピングパターンを決定する前記ステップは、異なるノードのＣＳＩ−ＩＭリソース間のコリジョンを最小限に抑えるホッピングパターンを選択するステップ、を含み、
前記サブフレームのサブフレーム周期及びオフセットを選択する前記ステップは、少なくとも２つのＣＳＩ−ＲＳsubframeConfigメッセージを用いて、前記周期及び前記オフセットを定義するステップ、を含む、
請求項２に記載の方法。
【請求項４】
前記サービングセルがホッピングパターンを決定する前記ステップは、
以下の式、
【数２５】
0005912003.tif 000026
に従って擬似乱数シーケンスホッピング関数を定義するステップであって、式中、
【数２６】
0005912003.tif 000027
は、構成されたＣＳＩ−ＩＭリソースプールPCSI-IMから前記ＣＳＩ−ＩＭを選択するための乱数値であり、（ns）は、サブフレームの識別子であり、NCSI-IMは、前記構成されたＣＳＩ−ＩＭリソースプールに含まれるＣＳＩ−ＩＭリソースの数であり、c(i)は、３１長Ｇｏｌｄシーケンス（length-31  Gold  Sequence）から生成される擬似乱数シーケンスである、ステップ、
を含む、
請求項３に記載の方法。
【請求項５】
サービングセルが、被サービスユーザーイクイップメント（ＵＥ）が干渉測定を行うために用いるＣＳＩ−ＩＭリソースを決定する前記ステップは、
異なるタイプのサブフレームに存在するリソース構成と複数のサブフレーム構成とを決定するステップであって、第１のサブフレーム構成及び第１のリソース構成は第１のタイプのサブフレームに存在し、第２のサブフレーム構成は第２のタイプのサブフレームに存在する、ステップ、
を含む、
請求項１に記載の方法。
【請求項６】
サービングセルが、被サービスユーザーイクイップメント（ＵＥ）が干渉測定を行うために用いるＣＳＩ−ＩＭリソースを決定する前記ステップは、
第１のサブフレーム構成及び第１のリソース構成を含む第１のサブフレームセットを決定し、第２のサブフレーム構成を含む第２のサブフレームセットを決定するステップ、
を含み、
前記第１のサブフレームセットと前記第２のサブフレームセットは、フレキシブルサブフレームと非フレキシブルサブフレームに関して独立した干渉測定を提供するように構成される、
請求項１に記載の方法。
【請求項７】
データを格納するメモリと、
前記メモリに結合され、前記メモリからのデータを含む通信に関連する信号を処理するプロセッサと、
前記プロセッサに結合され、通信に関連する信号を送受信するように構成される送受信部と、
送信信号を放射し受信信号を傍受する少なくとも１つのアンテナと、
を備えるサービングセルであって、
前記プロセッサは更に、
擬似乱数を生成し、
当該サービングセルによるサービスを受ける被サービスユーザーイクイップメント（ＵＥ）が干渉測定を行うために用いるＣＳＩ（channel  state  information；チャネル状態情報）−ＩＭ（interference  measurement；干渉測定）リソースを、前記ＣＳＩ−ＩＭリソースの位置の値を定義して、前記擬似乱数を用いて、サブフレームにおける前記ＣＳＩ−ＩＭリソースの前記位置を時間領域において変化させることによって決定し、前記ＣＳＩ−ＩＭリソースはゼロパワー（ＺＰ）ＣＳＩ−ＲＳ（reference  signal；参照信号）のリソースエレメントのプールに限定され、
前記決定されたＣＳＩ−ＩＭリソースを、前記被サービスＵＥへの送信のために前記送受信部に提供し、
サービングセル干渉を排除するために、前記決定されたＣＳＩ−ＩＭリソースに従って、ＺＰ  ＣＳＩ−ＲＳを、前記被サービスＵＥへの送信のために前記送受信部に提供し、
前記被サービスＵＥにより受信されたＣＳＩ−ＩＭと、前記サービングセルから前記被サービスＵＥに提供された前記ＺＰ  ＣＳＩ−ＲＳとに基づく、前記被サービスＵＥから受信される干渉測定結果を処理する、
ように構成される、
サービングセル。
【請求項８】
前記プロセッサは更に、前記サブフレームに関するサブフレーム周期及びオフセットを選択するように構成され、
前記プロセッサは更に、被サービスＵＥに送信されるサブフレームにおいて前記決定されたＣＳＩ−ＩＭリソースの位置を変化させるためのホッピングパターンを決定し、前記決定されたＣＳＩ−ＩＭリソース及び前記決定されたＣＳＩ−ＩＭリソースホッピングパターンを、前記被サービスＵＥへの送信のために前記送受信部に、選択された前記周期及び前記オフセットを用いて提供するように構成され、
前記決定されたホッピングパターンにより、前記送受信部により送信される前記ＣＳＩ−ＩＭと隣接ノードのＣＳＩ−ＩＭとのコリジョンは、最低限に抑えられる、
請求項７に記載のサービングセル。
【請求項９】
前記プロセッサは更に、以下の式、
【数２７】
0005912003.tif 000028
に従って前記ホッピングパターンを決定するように構成され、式中、
【数２８】
0005912003.tif 000029
は、構成されたＣＳＩ−ＩＭリソースプールPCSI-IMから前記ＣＳＩ−ＩＭを選択するための乱数値であり、（ns）は、サブフレームの識別子であり、NCSI-IMは、前記構成されたＣＳＩ−ＩＭリソースプールに含まれるＣＳＩ−ＩＭリソースの数であり、c(i)は、３１長Ｇｏｌｄシーケンス（length-31  Gold  Sequence）から生成される擬似乱数シーケンスである、
請求項８に記載のサービングセル。
【請求項１０】
前記プロセッサは更に、｛resourceConfig0，subframeConfig0｝及び｛subframeConfig1｝を含む少なくとも２つのパラメーターセットを決定することにより、ＣＳＩ−ＩＭリソースを決定するように構成され、
前記少なくとも２つのパラメーターセットは異なるタイプのサブフレームに存在し、第１のサブフレーム構成及び第１のリソース構成は第１のタイプのサブフレームに存在し、第２のサブフレーム構成は第２のタイプのサブフレームに存在する、
請求項７に記載のサービングセル。
【請求項１１】
前記プロセッサは更に、前記異なるタイプのサブフレームに存在する少なくとも２つのパラメーターセットに基づいて、フレキシブルサブフレームと非フレキシブルサブフレームに対して独立した干渉測定を提供するように構成される、
請求項１０に記載のサービングセル。
【発明の詳細な説明】
【技術分野】
【０００１】
本願は、２０１３年９月１６日出願の米国特許出願第１４／０２７,４０１号に対する優先権を主張し、また、２０１２年９月２８日出願の米国特許仮出願第６１／７０７,７８４号に対する優先権を主張し、参照によりそれらの全体を本明細書に援用する。
【背景技術】
【０００２】
多地点協調（Coordinated  Multi-Point：ＣｏＭＰ）送受信は、具体的にはセル端ＵＥのパフォーマンスを向上することにより３ＧＰＰ（Third  Generation  Partnership  Project）のLTE-Advanced（LTE-A）の要件を満たす、有望な技術として提案された。ＣｏＭＰの実施では、複数の送受信点（一般には地理的に離れているが、同じ場所に配置される場合もある）が協調して１又は複数のユーザーイクイップメント（ＵＥ）と送受信を行って、パフォーマンス（特にセル端ＵＥのパフォーマンス）を改善する。ダウンリンクＣｏＭＰの場合、無線装置である各送信点（１又は複数の送信アンテナを有し得る）の信号が、地理的領域をカバーする。一般に、ＣｏＭＰ技術とは、干渉回避等の幅広い調整機構を指す。ＣｏＭＰを用いて、セル平均スループットだけでなく、セル端ＵＥに対するスループットも改善することができる。
【０００３】
ＬＴＥでは、ＵＥがチャネル品質指示子（Channel  Quality  Indicator：ＣＱＬ）等のＣＳＩパラメーターに関して無線チャネルの特性を測定する際に、ＣＲＳを用いることができる。また、端末がチャネル状態情報を取得する際には、ＣＳＩ参照信号（ＣＳＩ−ＲＳ）を用いることができる。ＣＳＩ−ＲＳは、ＣＲＳに比べて、時間／周波数密度が非常に低く、よってオーバーヘッドが少ない。ＣｏＭＰシステムでは、ＣＳＩフィードバックのためのチャネル測定はＣＳＩ−ＲＳに基づく。
【０００４】
ＣＳＩフィードバックを目的とする干渉測定は、受信された信号からチャネル情報を差し引いた後のＣＲＳに基づいて行うことができ、或いは、ネットワークにより示されるチャネル状態情報干渉測定（ＣＳＩ−ＩＭ）リソースに直接基づいて行うことができる。ＣｏＭＰシステムでは、ＣＳＩのための干渉測定は、異なる干渉状況の測定をサポートする点での柔軟性を理由に、ＣＳＩ−ＩＭに基づく。しかし、ＣＳＩ−ＩＭを用いる干渉測定は、場合によってはセル固有参照信号（ＣＲＳ）を用いる干渉測定よりも正確性が低い。ＣＳＩ−ＩＭに基づく干渉測定の正確性が低い理由は、ゼロパワーチャネル状態情報参照信号（ＺＰ  ＣＳＩ−ＲＳ）がリソースエレメント（ＲＥ）を使用することにある。別のセルにおいて構成された別のＣＳＩ−ＩＭと重複する場合、一部の送信点からの干渉を捕捉できない場合がある。
【０００５】
対照的に、ＣＲＳに基づく測定では同様の場合において、ＣＲＳが重複する場合であっても送信点からの干渉寄与が含まれる。これは、高負荷の状況ではＣＲＳに基づく干渉測定のほうがＣＳＩ−ＩＭに基づく干渉測定よりも正確であることを意味する。これは、ＣＳＩ−ＩＭ構成の数がＣＲＳシーケンスよりも少ないことが主な理由である。
【０００６】
ＣＳＩ−ＩＭ干渉測定に関して、ネットワークはＵＥに、干渉測定の実行に用いるべきリソースエレメント（すなわち、サブキャリア及びシンボル）を指示する。サービングセル（ノード）は、自セル干渉を除去するために、任意のリソースエレメントではデータを送信することができないが、これは、同リソースエレメントにＺＰ  ＣＳＩ−ＲＳを構成することにより実現可能である。その他のノードは、特定されたリソースエレメントでデータを送信することができる。このように、ＵＥは、その他のノードからの干渉、例えば協調しているセル又は隣接するセルからの干渉を測定する。隣接するノードにも、同様のＣＳＩ−ＩＭ測定及び構成を適用することができる。しかしながら、利用可能な構成の数が限られているので、異なるノードのＣＳＩ−ＩＭ間でコリジョンが発生するおそれがある。よって、コリジョンを原因として、一部のノードからの干渉が推定されない場合がある。これにより、ＣＳＩフィードバックに関する干渉が過小評価されてしまう。
【図面の簡単な説明】
【０００７】
【図１】実施形態に係る無線通信ネットワークを示す図である。
【図２】実施形態に係るフレーム構造を示す図である。
【図３】現在のＣＳＩ−ＩＭリソース構成の利用を示す図である。
【図４】実施形態に係るＣＳＩ−ＩＭリソース構成の利用を示す図である。
【図５】実施形態に係る、時間領域におけるＣＳＩ−ＩＭホッピングを示す図である。
【図６】実施形態に係るＣＳＩ−ＩＭプールを示す図である。
【図７】実施形態に係る、時間領域におけるＣＳＩ−ＩＭホッピングのより単純な例を示す図である。
【図８】実施形態に係る、１以上のＣＳＩ−ＩＭ構成拡張の仕様を示す図である。
【図９】実施形態に係る、ＣＳＩ−ＩＭに関するＣＳＩ−ＲＳサブフレーム構成のパラメーターの表である。
【図１０】実施形態に係る、ＣＳＩフィードバックのための強化された干渉測定を提供する方法を示すフローチャートである。
【図１１】実施形態に係る、拡張されたＣＳＩ−ＩＭ構成を示す図である。
【図１２】実施形態に係る、ＣＳＩフィードバックを伴う強化された干渉測定を提供する例示的マシンを示すブロック図である。
【図１３】実施形態に係るノードを示す図である。
【発明を実施するための形態】
【０００８】
以下の記載と図面により、当該技術分野の当業者が実施できるように十分に具体的な実施形態を説明する。他の実施形態には、構造的変更、論理的変更、電気的変更、処理的変更等が組み込まれてよい。一部の実施形態の部分及び特徴は、他の実施形態の部分及び特徴に含まれてよく、或いは、他の実施形態の部分及び特徴に置換されてよい。請求項に記載の実施形態は、当該請求項の利用可能な均等物を包含する。
【０００９】
実施形態は、ＣＳＩフィードバックのための強化された干渉測定を提供する。ＣＳＩ−ＩＭリソースは、ＵＥが干渉測定を行う際に用いられる。実施形態によれば、ＣＳＩフィードバックのための強化された干渉測定を提供するために、ＣＳＩ−ＩＭホッピング及び／又はＣＳＩ−ＩＭリソース数の増大が用いられてよい。
【００１０】
図１は、実施形態に係る無線通信ネットワーク１００を示す図である。説明に用いられる通信ネットワークは、ｅＮＢ１１０，１２０，１３０を含む。通信ネットワークは、より多くのｅＮＢを含んでよい。ｅＮＢ１１０，１２０，１３０は、それぞれ対応するカバレッジエリアすなわちセル１１２，１２２，１３２において動作可能である。各基地局のカバレッジエリア１１２，１２２，１３２は更に３つのセクター、例えばそれぞれセクター１４０，１４２，１４４、セクター１５０，１５２，１５４、セクター１６０，１６２，１６４に分割されてよい。一部の例において、ｅＮＢの各セクターをセルとしてみなすこともできる。セクターＡ１４０に、携帯電話機等のユーザーイクイップメント（ＵＥ）１７０を示す。セクターＡ１４０は、ｅＮＢ１１０のカバレッジエリア１１２の範囲内にある。ＵＥ１７０は、ｅＮＢ１１０に送信を行い、また、ｅＮＢ１１０からの送信を受信する。ＵＥ１７０がセクターＡ１４０からセクターＢ１５０に移動する場合、ＵＥ１７０はｅＮＢ１２０に引き渡されてよい。
【００１１】
図１では、ＵＥ１７０はセル端１７２に接近して図示されている。ＵＥ１７０はサービングｅＮＢ１１０によりサービスを受け、サービング信号１８０をサービングｅＮＢ１１０から受信する。ＵＥ１７０がセル端１７２に接近するにつれて、隣接するｅＮＢ１２０からの干渉１８２が強くなる。ＵＥ１７０は、ｅＮＢ１１０により、ＣＳＩフィードバックのためのＣＳＩ−ＲＳ及びＣＳＩ−ＩＭを用いて、チャネル測定及び干渉測定を行うように構成されてよい。
【００１２】
セル端１７２でのパフォーマンスは、セル間干渉（ＩＣＩ）１８２の影響を特に受けやすい。実施形態に係る、セル端１７２でのパフォーマンスに対する改善策が実施されてよい。上述したように、ＵＥ１７０がサービングｅＮＢ１１０から離れるにつれてそのＳＩＮＲは低下するが、これは２つの要因によるものである可能性がある。ＵＥ１７０が隣接ｅＮＢ１２０に接近するにつれて、受信されるサービング信号１８０の信号強度が低下し、ＩＣＩ１８２が増大する。
【００１３】
図２は、実施形態に係る無線フレーム２００の構造を示す。図２において、無線フレーム２００は１０ｍｓの全長２１４を有する。これは、計２０個の個別のスロット２１０に分割される。各サブフレーム２１２は、長さ０．５ｍｓであるスロット２１０を２つ含む。各スロット２１０は、多数のＯＦＤＭシンボルNsymb２２０を含む。このように、フレーム２００には１０個のサブフレーム２１２が含まれる。サブフレーム＃１８を、サブキャリア（周波数）軸２１６とＯＦＤＭシンボル（時間）軸２１８とを基準に拡大して示す。
【００１４】
リソースエレメント（resource  element：ＲＥ）２３０は、最も小さい識別可能な伝送単位であり、ＯＦＤＭシンボル期間２３４に対してサブキャリア２３２を有する。伝送は、リソースブロック（ＲＢ）２４０と呼ばれるより大きな単位でスケジュールされる。リソースブロック２４０は、０．５ｍｓの１タイムスロットの期間に対して、隣接する多数のサブキャリア２３２を含む。したがって、周波数領域にリソースを割り当てる最小次元単位は「リソースブロック」（ＲＢ）２４０である。すなわち、
【数１】
0005912003.tif 000002
個の隣接するサブキャリア２３２がリソースブロック（ＲＢ）２４０を構成する。各サブフレーム２１２は「NRB」個のリソースブロックを含むので、サブフレームに含まれるサブキャリアの総数はNRB×
【数２】
0005912003.tif 000003
である。
【００１５】
ＣＳＩ−ＩＭリソースエレメントは、ゼロパワー（ＺＰ）ＣＳＩ−ＲＳのリソースエレメントとして構成されてよい。ＺＰ  ＣＳＩ−ＲＳは、ミュートされたＣＳＩ−ＲＳ又はミュートされたリソースエレメント（ＲＥ）とみなされてよい。ゼロパワーＣＳＩ−ＲＳは、リソースエレメントが使用されないＣＳＩ−ＲＳパターンであり、すなわち、そのようなリソースエレメントでは信号が送信されない。一部の例において、ゼロパワーＣＳＩ−ＲＳは、ＵＥが伝送を想定しないＲＥの集合である。したがって、ＺＰ  ＣＳＩ−ＲＳは、対応するリソースエレメントでは実際に何も送信されないという点を除いて、非ミュートＣＳＩ−ＲＳと同じ構造を有する。ＺＰ  ＣＳＩ−ＲＳの使い方のひとつは、他の（隣接）セルにおけるデータ伝送に対応する「伝送ホール（transmission  hole）」を作って、ＣＳＩ−ＩＭを用いる干渉測定を容易にできることである。ＺＰ  ＣＳＩ−ＲＳの別の目的は、他の（隣接）セルにおける実際のＣＳＩ−ＲＳ伝送に対応する「伝送ホール」を作り出せることである。これにより端末は、自セルのＣＳＩ−ＲＳ伝送から干渉を受けることなく、隣接セルのＣＳＩ−ＲＳを受信することができる。したがって、さもなければ干渉を生じるリソースエレメントをミュートするように干渉セルにおいてＺＰ  ＣＳＩ−ＲＳを構成することにより、任意のセルにおけるＣＳＩ−ＲＳの信号対干渉雑音比（ＳＩＮＲ）を改善することができる。
【００１６】
干渉測定を目的として（例えば、協調ノードからのデータブランキング又はデータ伝送に対応するＣＳＩ毎に異なる干渉測定を行うために）、ネットワークにより１又は複数のＣＳＩ−ＩＭが構成されてよい。
【００１７】
図３は、現在のＣＳＩ−ＩＭリソース構成３００の利用を示す。図３の図示は単純化された表現である。しかしながら、当該技術分野の当業者であれば、ＬＴＥの仕様に従ってＣＳＩ−ＩＭを一般化することができるであろう。図３では、２つのＣＳＩ−ＩＭ３２０，３２２を含むサブフレーム３１０が時間３３０に関して示されている。図３のＣＳＩ−ＩＭ１３２０は、２つのパラメーターresourceConfig0３４０及びsubframeConfig0３４２により構成される。パラメーターresourceConfig0３４０は、サブフレーム内のＣＳＩ−ＩＭリソースの、ＣＳＩ−ＩＭ１３２０に対する位置を定義する。subframeConfig0３４２は、ＣＳＩ−ＩＭ１３２０に関するＣＳＩ−ＩＭ周期及びＣＳＩ−ＩＭサブフレームオフセットを定義する。ＣＳＩ−ＩＭ２３２２は、同様にパラメーターresourceConfig1３５０及びsubframeConfig1３５２を含み、これらのパラメーターは、ＣＳＩ−ＩＭ１のresourceConfig0３４０及びsubframeConfig0３４２と異なってよい。ＣＳＩ−ＩＭは、経時的に、異なる方法でサブフレームにマップされる。例えば、図３の各サブフレームでは、ＣＳＩ−ＩＭ１が第１の位置に示され、ＣＳＩ−ＩＭ２が第２の位置に示される。このように、ＣＳＩ−ＩＭリソース３２０，３２２は、サブフレーム３１０において固定された位置を有する。干渉測定の場合、ＵＥが自セル干渉を除去し隣接セルからの干渉を捕捉するために、ＣＳＩ−ＩＭリソース（ＣＳＩ−ＩＭ１及びＣＳＩ−ＩＭ２）が構成されるＲＥに対して、ＺＰ  ＣＳＩ−ＲＳリソースが構成されてよい。
【００１８】
図４は、実施形態に係るＣＳＩ−ＩＭリソース構成４００を示す簡易図である。実施形態によれば、ＣＳＩ−ＩＭホッピングにより、且つ／又は、可能性のあるＣＳＩ−ＩＭリソースの数を増加することにより、強化された干渉測定が提供される。実施形態によれば、強化された干渉測定のためのＣＳＩ−ＩＭ構成は、ＣＳＩ−ＩＭリソースの数を増加させるために、且つ／又は、時間的なＣＳＩ−ＩＭリソースホッピングを提供するために、追加のパラメーターセットresourceConfig1とsubframeConfig1を含んでよい。
【００１９】
図４は、実施形態に係る、時間４３０と共に送信される２つのＣＳＩ−ＩＭ４２０，４２２を含むサブフレーム４１０を示す。しかしながら、当該技術分野の当業者には当然であるように、追加のＣＳＩ−ＩＭリソースとより複雑なＣＳＩ−ＩＭリソースホッピングを伴う拡張ＣＳＩ−ＩＭ構成が実施されてよい。図４のＣＳＩ−ＩＭ１４２０は、２つのパラメーター｛resourceConfig0４４０，subframeConfig0４４２｝及び｛resourceConfig1４６０，subframeConfig1４６２｝を含む。しかしながら、ただ１つのresourceConfigが異なるサブフレームタイプと共に用いられてもよい（例えば、１つのresourceConfigと複数のsubframeConfig）。同様に、ＣＳＩ−ＩＭ２も２つのパラメーターセットを含む。しかしながら、本明細書に記載の実施形態はこの点を限定するものではない。図４では、ＣＳＩ−ＩＭ２４２２が図３と同じ位置、すなわち位置２に示されている。しかしながら、図４の第２のサブフレーム４１２では、ＣＳＩ−ＩＭ１４２０が、追加のパラメーターresourceConfig1４６０，subframeConfig1４６２に対応する第２の位置に示されている。同じサブフレームにおいて、ＣＳＩ−ＩＭ２４２２は第１の位置にホップしている。後続のサブフレームから分かるように、ＣＳＩ−ＩＭ１４２０とＣＳＩ−ＩＭ２４２２は、サブフレーム毎に異なる位置にホップし続ける。一部の実施形態では、１つの追加的なパラメーターresourceConfig1４６０又はsubframeConfig1４６２を用いることにより、ＣＳＩ−ＩＭ構成を強化することができる。
【００２０】
図４に示すように、ＵＥが干渉測定に用いるリソースエレメントは時間領域においてホップする。１つのサブフレーム（例えばサブフレーム４２０）でＣＳＩ−ＩＭコリジョンが発生しても、次のサブフレーム（例えばサブフレーム４２２）でコリジョンが起こる可能性は低い。位置パラメーターresourceConfig0４４０は、ＣＳＩ−ＩＭ１４２０に対するＣＳＩ−ＩＭリソースの位置を定義する。subframeConfig0４４２は、ＣＳＩ−ＩＭ１４２０に関するＣＳＩ−ＩＭ周期及びＣＳＩ−ＩＭサブフレームオフセットを定義する。図４では、resourceConfig0４４０は１０ｍｓの周期で、サブフレームにおけるＣＳＩ−ＩＭの位置を定義する。よって、サブフレーム４１０は１０ｍｓ後に繰り返される。サブフレーム４１２でのＣＳＩ−ＩＭ１の位置はresourceConfig0４６０によって定義され、図４では、resourceConfig0４６０の周期も１０ｍｓである。ＣＳＩ−ＩＭ１のサブフレーム遷移は、subframeConfig0４４２及びsubframeConfig1４６２によって定義される。よって、図４では、サブフレーム遷移は５ｍｓであり、ＣＳＩ−ＩＭ１リソースは５ｍｓ後にホップする。ＣＳＩ−ＩＭ２に関しても同様の構成が示されており、５ｍｓ後にＣＳＩ−ＩＭホッピングが提供される。
【００２１】
別の実施形態では、コリジョンの発生を回避又は低減するために、ＣＳＩ−ＩＭの擬似ランダムホッピングが実施されてよい。ＣＳＩ−ＩＭのホッピングが有効になると、セルのサブフレーム内のＣＳＩ−ＩＭリソースが、タイムスロット毎又はサブフレーム毎に擬似ランダム的に変化するので、隣接セルにおけるＣＳＩ−ＩＭのシステマチックなコリジョンが回避される。
【００２２】
ＣＳＩ−ＩＭリソースホッピングは、ＣＳＩ−ＩＭリソースのプールに限定されてよく、該プールは、構成されたリソースであるＺＰ  ＣＳＩ−ＲＳリソースのサブセットであってよい。ＣＳＩ−ＩＭリソースのプールは、無線リソース制御（ＲＲＣ）プロトコルメッセージにより構成されてよい。ＣＳＩ−ＩＭプールから選択される特定のＣＳＩ−ＩＭリソースは、シードcinitを用いて生成される擬似乱数シーケンスに従って決定されてよい。ここで、cinitは、スロットインデックス、シンボル、物理的セルＩＤ及び巡回プレフィックス（cyclic  prefix：ＣＰ）タイプの関数であってよい。よって、生成される擬似乱数シーケンスは、構成されるＣＳＩ−ＩＭリソースプールに含まれる利用可能なＣＳＩ−ＩＭ構成（リソース）の最大数に限定される。
【００２３】
ＣＳＩ−ＩＭリソースプールから決定されるＣＳＩ−ＩＭリソースのインデックス
【数３】
0005912003.tif 000004
は、任意のスロット又はサブフレームに対する干渉測定に用いられてよく、以下の式、
【数４】
0005912003.tif 000005
に従って決定されてよい。
【００２４】
式中、δIMは、resourceConfigによりＵＥに関して構成されるＣＳＩ−ＩＭに対応するＣＳＩ−ＩＭインデックスであり、nsは、スロット又はサブフレームの数であり、PCSI-IMは、ＣＳＩ−ＩＭリソースプールであり、
【数５】
0005912003.tif 000006
は、PCSI-IMからＣＳＩ−ＩＭを選択するための乱数値であり、NCSI-IMは、構成されるＣＳＩ−ＩＭリソースプールに含まれるＣＳＩ−ＩＭリソースの総数である。
【００２５】
擬似乱数シーケンスホッピング関数は、
【数６】
0005912003.tif 000007
により定義することができる。ここで、擬似乱数シーケンスc(i)は、各無線フレーム又は各無線フレームセットの始めにcinitにより初期化されてよい。関数
【数７】
0005912003.tif 000008
により、ＣＳＩ−ＩＭが特定され、ＣＳＩ−ＩＭリソープールPCSI-IMからランダムに選択される。実施形態によれば、擬似乱数シーケンスは、３１長Ｇｏｌｄシーケンス（length-31  Gold  Sequence）から決定されてよい。生成される長さMPNのシーケンスc(n)（ここでn＝０，１，…，MPN-1）は、以下の式、
【数８】
0005912003.tif 000009
によって定義される。式中、NC＝１６００であり、第１のＭ系列は、x1(0)＝１，x1(n)＝０，n＝１，２，…，３０で初期化されるものとする。第２のＭ系列の初期化は、
【数９】
0005912003.tif 000010
で表される。
【００２６】
多地点協調（Coordinated  Multi-Point：ＣｏＭＰ）送受信クラスタ内のＣＳＩ−ＩＭリソースの計画を確実にするために、同じcinit値を用いることでセルを協調させることにより、同じホッピングパターンが用いられてよい。パラメーターcinitは、ＲＲＣシグナリングを用いてＵＥに関して独立して構成されてよく、或いは、構成されるＣＳＩ−ＲＳリソースのうち１つの物理的セルＩＤ、仮想セルＩＤ値nIDから導出されてよい。
【００２７】
図５は、実施形態に係る、時間領域５００におけるＣＳＩ−ＩＭホッピングを示す。任意のサブフレームに関して、干渉測定のための実際のＣＳＩ−ＩＭが、ＵＥにより、設定されたPCSI-IM５１０（例えば、構成されたＺＰ  ＣＳＩ−ＲＳリソースのサブセットであってよいＣＳＩ−ＩＭリソースのプール）から選択される。図５は、３つの基地局（ＢＳ）ＢＳ１５２０，ＢＳ２５２２，ＢＳ３５２４を用いて、より一般的なＣｏＭＰシステムのＣＳＩ−ＩＭホッピングの例を示す。サブフレームｉ５３０には、３つの基地局（ＢＳ）ＢＳ１５２０，ＢＳ２５２２，ＢＳ３５２４について、ＣＳＩ−ＩＭリソースホッピングのためのＣＳＩ−ＩＭリソースプールが示される。
【００２８】
サブフレームｉ５３０において、２行目５５０の列１，３に対応するリソースエレメントに、ＰＤＳＣＨエミュレーション５４０，５４４が設けられる。ここで、列１，３は、ＢＳ１５２０，ＢＳ３５２４に対応する。ＢＳ２５２２に対応する２列目の２行目５５０に示すＣＳＩ−ＩＭリソースのＲＥでは、非ＰＤＳＣＨ伝送５４２が実行される。サブフレームｉ＋ｎ５３２では、ＢＳ２５２２の非ＰＤＳＣＨ伝送と、ＢＳ１５２０，ＢＳ３５２４のＰＤＳＨエミュレーション５４０，５４４は、７行目５５２において使用される。サブフレームｉ＋２・ｎ５３４では、ＢＳ２５２２のＺＰ  ＣＳＩ−ＲＳ５４２と、ＢＳ１５２０，ＢＳ３５２４のＰＤＳＨエミュレーション５４０，５４４は、３行目５５４において使用される。ＣＳＩ−ＩＭ５４２のランダムなホッピングにより、ＢＳ１５２０，ＢＳ２５２２，ＢＳ３５２４から成るＣｏＭＰクラスタと別のＣｏＭＰクラスタとのＣＳＩ−ＩＭコリジョンが低減される。
【００２９】
図６は、実施形態に係るＣＳＩ−ＩＭプール６００を示す。ＣＳＩ−ＩＭホッピングのためのＣＳＩ−ＩＭリソースのプール６１０が提供される。図６では、プール６１０は、干渉測定ホッピングのための１０個のＣＳＩ−ＩＭ６２０〜６３８を含む。異なる干渉仮説に関するＣＱＩ計算を可能にするために、７つのＣＳＩ−ＩＭリソース（例えば、６２０，６２２，６２６，６３４，６３６，６３８）はセルにデータを送信させるように構成され、リソース６２４，６２８，６３０，６３２はデータを送信しないように構成される。ＰＤＳＣＨ  ＲＥマッピングの潜在的な問題を回避するために、ＣＳＩ−ＩＭプール６１０でのＰＤＳＣＨ伝送は、ＣＳＩ−ＩＭプールのリソースエレメントにＺＰ  ＣＳＩ−ＲＳリソースを構成することにより、回避されてよい。ＺＰ  ＣＳＩ−ＲＳではＰＤＳＣＨ伝送が実行されないので、ｅＮＢ（evolved  node  B）は、ＵＥでの干渉測定を保証するために、特定のＣＳＩ−ＩＭリソースに関して設定された干渉仮説に基づいてＣＳＩ−ＩＭプールに含まれる一部のリソースエレメントでＰＤＳＣＨ伝送をエミュレートする必要があるかもしれない。１行目のＣＳＩ−ＩＭに関して、１列目に関連するセルと２列目に関連するセルはデータを送信するが、３列目に関連するセルはデータを送信しない。よって、１行目に対応するＲＥで干渉を測定するＵＥは、１列目に関連するセルと２列目に関連するセルに関する干渉を捕捉することになる。
【００３０】
図７は、実施形態に係る、時間領域７００における単純なＣＳＩ−ＩＭホッピングを示す。図７では、実施形態に係るＣｏＭＰをサポートしない１つのＢＳ７２０を示す。ＣＳＩ−ＩＭ７４２は、サブフレームｉ７３０の２行目７５０から、サブフレームｉ＋ｎ７３２の６行目７５２、サブフレームｉ＋２・ｎ７３４の３行目７５４に時間ホッピングする。
【００３１】
図８は、実施形態に係る、１以上のＣＳＩ−ＩＭ構成８００の使用を示す。図８に示すサブフレーム８１０は、２つのＣＳＩ−ＩＭリソース、ＣＳＩ−ＩＭ１８２０及びＣＳＩ−ＩＭ２８３０を含む。ＣＳＩ−ＩＭ１８２０は、resourceConfig0８２２及びsubframeConfig0８２４を含む。ＣＳＩ−ＩＭ２８３０は、resourceConfig1〜resourceConfigN８３２と、subframeConfig1〜subframeConfigN８３４とを含む。このように、ＣＳＩ−ＩＭリソース（例えばＣＳＩ−ＩＭ２８３０）は、ＣＳＩ−ＩＭ１よりも多くの干渉測定用リソースエレメントを指示してよい。
【００３２】
図９は、実施形態に係る、ＣＳＩ−ＩＭサブフレーム構成に用いられるＣＳＩ−ＲＳサブフレーム構成のためのパラメーター（subframeConfigパラメーター）の表９００を示す。ＣＳＩ−ＲＳ伝送用に構成されるサブフレームについて、参照シンボルとして用いられる複素数値変調シンボルak，l(p)に、参照信号シーケンス
【数１０】
0005912003.tif 000011
がマップされる。よって、パラメーターresourceConfigは、サブフレーム内のＣＳＩ−ＲＳのＲＥパターンを提供する。すなわち、サブフレームにおいて用いられるＣＳＩ−ＲＳのパターンを定義する。図９の表では、ＣＳＩ−ＲＳサブフレーム構成９４０の範囲に関して、ＣＳＩ−ＲＳ周期TCSI-RS９１０及びＣＳＩ−ＲＳサブフレームオフセットΔCSI-RS９２０が示される。例えば、ＣＳＩ−ＲＳsubframeConfig０〜４（９４２）では、ＣＳＩ−ＲＳ周期TCSI-RS９１０は５サブフレーム（９１２）であり、ＣＳＩ−ＲＳサブフレームオフセットΔCSI-RS９２０は０（９２２）である。よって、ＣＳＩ−ＲＳ周期TCSI-RS９２０はＴ＝５〜８０サブフレームの範囲を取ってよく、オフセットは０〜７９サブフレームの範囲を取ってよい。したがって、ＣＳＩ−ＩＭリソース構成は、resourceConfig0，subframeConfig0を含んでよい。ＣＳＩ−ＩＭリソース構成はまた、resourceConfig1及びsubframeConfig1を含んでもよい。
【００３３】
図１０は、実施形態に係る、ＣＳＩフィードバックのための干渉測定を改善する方法のフローチャート１０００を示す。図１０において、干渉測定を行うためのＣＳＩ−ＩＭリソースが決定される（１０１０）。決定されたＣＳＩ−ＩＭリソースのサブフレームにおける位置を変更するためのホッピングパターンが決定される（１０２０）。決定されたＣＳＩ−ＩＭリソースと、決定されたＣＳＩ−ＩＭリソースホッピングパターンとが、他のノード及びＵＥに提供される（１０３０）。サービングノードは、決定されたＣＳＩ−ＩＭリソースと決定されたＣＳＩ−ＩＭリソースホッピングパターンとに従って、ゼロパワー（ＺＰ）ＣＳＩ−ＲＳを構成してよい（１０４０）。ＵＥにより受信されるＣＳＩ−ＩＭ及びＺＰ  ＣＳＩ−ＲＳに基づいて、ＵＥにより干渉測定が実行される。干渉測定に基づいて、チャネル状態情報フィードバックがサービングノードに提供される（１０６０）。サービングノードのＣＳＩ−ＩＭと他のノードのＣＳＩ−ＩＭとのコリジョンは、決定されたＣＳＩ−ＩＭリソースホッピングパターンにより最低限に抑えられる（１０７０）。
【００３４】
図１１は、実施形態に係る拡張されたＣＳＩ−ＩＭ構成１１００を示す。図１１に示されるフレーム１１１０は、１０個のサブフレーム１１２０を含む。サブフレーム１１２０のサブセットに含まれる構成されたＣＳＩ−ＩＭリソースは、干渉測定の導出に用いられてよい。ＬＴＥ−Ａの仕様によれば、ＣＳＩ−ＩＭは、２つのパラメーターすなわちsubframeConfig及びresourceConfigにより定義される。この２つのパラメーターは、それぞれ、ＣＳＩ−ＩＭが伝送されるダウンリンクサブフレームのセットとリソースエレメントのセットを表す。
【００３５】
実施形態に係る拡張されたＣＳＩ−ＩＭ構成１１００は、サブフレーム０（１１３０）を含む。サブフレーム０（１１３０）は、第１の干渉測定用のダウンリンクサブフレームのセットを表すパラメーターsubframeConfig0１１３２を含む。サブフレーム４（１１４０）は、第２の干渉測定用のダウンリンクサブフレームのセットを表すパラメーターsubfrarneConfig1１１４２を含む。
【００３６】
３ＧＰＰのＲｅｌｅａｓｅ１１によれば、ＣＳＩ−ＩＭ構成は、ゼロパワーＣＳＩ−ＲＳとして構成されるリソースエレメントのサブセットである。実施上の配慮点から、動的なＤＬ−ＵＬ構成を伴うシステムで単一のＣＳＩ処理を用いる干渉測定をサポートすることが好ましい。しかしながら、単一のＣＳＩ処理では、ＵＥによりサポートされるＣＳＩ−ＩＭ構成はひとつである。この場合、異なるタイプのダウンリンクサブフレーム（例えば、フレキシブルサブフレーム１１５０と非フレキシブルサブフレーム）でのＣＳＩ−ＩＭリソース伝送は、不可能である可能性がある。これは、ＣＳＩ−ＩＭ周期が５ｍｓの倍数であることが原因である。
【００３７】
実施形態に係る拡張されたＣＳＩ−ＩＭ構成１１００は、パラメーターsubframeConfig1１１４２を含む拡張されたＣＩＳ−ＩＭ構成を提供する。このようにサブフレームセットを用いることにより、フレキシブルサブフレーム１１５０と非フレキシブルサブフレームに対して独立した干渉測定を行うことができる。
【００３８】
図１２は、実施形態に係る、ＣＳＩフィードバックを伴う干渉測定を改善するための例示的マシン１２００のブロック図を示す。例示的マシン１２００では、本明細書に記載の技術（例えば方法）のうち任意の１又は複数が実行されてよい。代替の実施形態では、マシン１２００はスタンドアロンデバイスとして動作してよく、或いは、他のマシンに接続（例えばネットワーク接続）されてもよい。ネットワーク接続で配置される場合、マシン１２００は、サーバー‐クライアントネットワーク環境におけるサーバーマシン及び／又はクライアントマシンとして動作してよい。例えば、マシン１２００は、ピアツーピア（Ｐ２Ｐ）（又は他の分散）ネットワーク環境におけるピアマシンとして動作してよい。マシン１２００は、パーソナルコンピューター（ＰＣ）、タブレットＰＣ、セットトップボックス（ＳＴＢ）、パーソナルデジタルアシスタント（ＰＤＡ）、携帯電話、ウェブ電化製品、ネットワークルーター、スウォッチ（swatch）又はブリッジ等の、当該マシンがとるべきアクションを特定する命令（シーケンシャル等）を実行可能な任意のマシンであってよい。更に、単一のマシンが図示されているが、「マシン」という用語は、単独又は合同で命令セットを実行して本明細書に記載の方法のうち任意の１又は複数を実行する任意のマシン群を含み得るものと解釈されるものであり、例として、クラウドコンピューティング、ＳａａＳ（software  as  a  service）等のコンピュータークラスター構成が挙げられる。
【００３９】
本明細書に記載の実施例は、論理回路又は多数のコンポーネント、モジュール若しくは機構を含んでよく、或いは、それらにより実行されてよい。モジュールは、特定の工程を実行可能な有体物（例えばハードウェア）であり、所定の方式で構成又は配置されてよい。一例として、モジュールとして回路が特定の方式で配置されてよい（例えば内蔵されて、或いは、他の回路等の外部実体に関連して）。一例として、特定の工程を実行するように動作するモジュールとして、１又は複数のコンピューターシステム（例えばスタンドアロン、クライアント、サーバーコンピューターシステム）、又は、１又は複数のハードウェアプロセッサ１２０２の少なくとも一部が、ファームウェア又はソフトウェア（例えば命令、アプリケーションの一部、アプリケーション）により構成されてよい。一例として、ソフトウェアは少なくとも１つのマシン可読媒体上に存在してよい。一例として、ソフトウェアは、モジュールの基礎となるハードウェアにより実行されると、当該ハードウェアに特定の工程を実行させる。
【００４０】
したがって、「モジュール」という用語は、有体物、すなわち、特定の方式で動作するように、或いは、本明細書に記載の工程の少なくとも一部を実行するように物理的に構築された、具体的に構成された（例えばハードワイヤードの）、又は一時的に構成された実体を包含するものと理解される。モジュールが一時的に構成される例を考慮すると、任意の１時点でモジュールのインスタンスを作成する必要はない。例えば、ソフトウェアを用いるように構成される汎用ハードウェアプロセッサ１２０２をモジュールが含む場合、汎用ハードウェアプロセッサは、個別の異なるモジュールとして異なる時点で構成されてよい。したがってソフトウェアは、ハードウェアプロセッサを、例えばあるモジュールを１時点で構成するように構成してよく、異なるモジュールを異なる時点で構成するように構成してもよい。「アプリケーション」という用語又はその変形は、本明細書では、ルーティン、プログラムモジュール、プログラム、コンポーネント等を含むように拡張的に用いられ、シングルプロセッサ又はマルチプロセッサのシステム、マイクロプロセッサベースの電化製品、シングルコア又はマルチコアのシステム、それらの組合わせ等を含む、様々なシステムで実施されてよい。このように、アプリケーションという用語は、本明細書に記載のいずれかの工程の少なくとも一部を実行するように構成されるソフトウェア又はハードウェアの実施形態を参照する際に用いられる場合がある。
【００４１】
マシン（例えばコンピューターシステム）１２００は、ハードウェアプロセッサ１２０２（例えば、中央演算処理装置（ＣＰＵ）、グラフィクス・プロセシング・ユニット（ＧＰＵ）、ハードウェアプロセッサコア、或いはこれらの組合わせ）、メインメモリ１２０４及びスタティックメモリ１２０６を有してよく、これらのうち少なくとも一部は、インターリンク（例えばバス）１２０８を介して他と通信してよい。マシン１２００は更に、表示部１２１０、英数字入力部１２１２（例えばキーボード）及びユーザーインターフェース（ＵＩ）ナビゲーション部１２１４（例えばマウス）を有してよい。一例として、表示部１２１０、入力部１２１２及びＵＩナビゲーション部１２１４は、タッチスクリーンディスプレイであってよい。マシン１２００は、記憶部（例えばドライブユニット）１２１６、信号生成部１２１８（例えばスピーカー）、ネットワークインターフェース部１２２０、及び１又は複数のセンサー１２２１（全地球測位システム（global  positioning  system：ＧＰＳ）センサー、コンパス、加速度計等のセンサー）を追加的に有してよい。マシン１２００は、１又は複数の周辺機器（プリンター、カードリーダー等）に対する通信又は制御を行うために、出力制御部１２２８を有してよい。例えば、シリアル接続（ユニバーサル・シリアル・バス（ＵＳＢ）等）、パラレル接続、他の有線又は無線（赤外線（ＩＲ）等）接続が挙げられる。
【００４２】
記憶部１２１６は、少なくとも１つのマシン可読媒体１２２２を有してよい。少なくとも１つのマシン可読媒体１２２２には、本明細書に記載の技術のうち任意の１又は複数を具現化するか或いはそれらに利用される１又は複数のデータ構造セット又は命令セット１２２４（例えば、ソフトウェア）が格納される。命令１２２４はまた、少なくとも部分的に、追加的なマシン可読メモリ（メインメモリ１２０４、スタティックメモリ１２０６等）に存在してよく、或いは、マシン１２００による実行中はハードウェアプロセッサ１２０２に存在してよい。一例として、ハードウェアプロセッサ１２０２、メインメモリ１２０４、スタティックメモリ１２０６及び記憶部１２１６のうち１つ、或いはそれらの任意の組合わせにより、マシン可読媒体を構成してよい。
【００４３】
マシン可読媒体１２２２は単一の媒体として説明されるが、「マシン可読媒体」という用語は、１又は複数の命令１２２４を格納するように構成される単一の媒体又は複数の媒体（例えば、集中データベース若しくは分散データベース、並びに／又は、関連のキャッシュ及びサーバー）を含んでよい。
【００４４】
「マシン可読媒体」という用語は、マシン１２００により実行される命令であってマシン１２００に本開示の技術のうち任意の１又は複数を実行させる命令を格納、符号化又は運搬することができる任意の媒体を含んでよく、或いは、そのような命令により用いられるか又は関連するデータ構造を格納、符号化又は運搬することができる任意の媒体を含んでよい。マシン可読媒体の限定されない例として、ソリッドステートメモリ、光学媒体、磁気媒体が挙げられる。マシン可読媒体の具体例として、不揮発性メモリ（半導体メモリデバイス（例えば、ＥＰＲＯＭ（Electrically  Programmable  Read-Only  Memory）、ＥＥＰＲＯＭ（Electrically  Erasable  Programmable  Read-Only   Memory））、フラッシュメモリデバイス）、磁気ディスク（内蔵ハードディスク、リムーバブルディスク等）、光磁気ディスク、ＣＤ−ＲＯＭディスク、ＤＶＤ−ＲＯＭディスクが挙げられる。
【００４５】
命令１２２４は更に、伝送媒体を用いる通信ネットワーク１２２６上で、ネットワークインターフェース部１２２０を介して、多くの転送プロトコル（フレームリレー、インターネットプロトコル（ＩＰ）、通信制御プロトコル（ＴＣＰ）、ユーザー・データグラム・プロトコル（ＵＤＰ）、ハイパーテキスト転送プロトコル（ＨＴＴＰ）等）のうち任意の１つを利用して、送受信されてよい。通信ネットワークの例としては、ローカルエリアネットワーク（ＬＡＮ）、広域ネットワーク（ＷＡＮ）、パケットデータネットワーク（例えばインターネット）、携帯電話網（チャネルアクセス方法（例えば、符号分割多元接続（ＣＤＭＡ）、時分割多元接続（ＴＤＭＡ）、周波数分割多元接続（ＦＤＭＡ）、直交周波数分割多元接続（ＯＦＤＭＡ））、セルラーネットワーク（例えば、グローバル・システム・フォー・モバイル・コミュニケーション（ＧＳＭ（登録商標））、ユニバーサル・モバイル・テレコミュニケーション・システム（ＵＭＴＳ）、ＣＤＭＡ２０００  １ｘ＊規格、ＬＴＥ（Long  Term  Evolution））等）、ＰＯＴＳ（Plain  Old  Telephone  Service）ネットワーク、無線データネットワーク（例えば、ＩＥＥＥ（Institute  of  Electrical  and  Electronics  Engineers）８０２．１１規格（Ｗｉ−Ｆｉ）やＩＥＥＥ８０２．１６規格（ＷｉＭＡＸ（登録商標））を含むＩＥＥＥ８０２規格ファミリ）、ピアツーピア（Ｐ２Ｐ）ネットワーク、他の既知のプロトコル、今後開発されるプロトコルが挙げられる。
【００４６】
例えば、ネットワークインターフェース部１２２０は、１又は複数の物理的ジャック（例えば、Ethernet（登録商標）ジャック、同軸ジャック、電話用ジャック）、又は、通信ネットワーク１２２６に接続するための１又は複数のアンテナを有してよい。一例として、ネットワークインターフェース部１２２０は、ＳＩＭＯ（single-input  multiple-output）技術、ＭＩＭＯ（multiple-input  multiple-output）技術及びＭＩＳＯ（multiple-input  single-output）技術のうち少なくとも１つを用いて無線接続を行うための複数のアンテナを有してよい。「伝送媒体」という用語は、マシン１２００により実行される命令を格納、符号化又は運搬することができる任意の無形媒体を含むものとみなされるものであり、デジタル又はアナログの通信信号等の、ソフトウェアの通信を容易にする無形媒体が含まれる。
【００４７】
図１３は、実施形態に係るノード１３００を示す。図１３において、プロセッサ１３１０は、送受信部１３２０及びメモリ１３３０と結合される。通信信号は、アンテナ１３４０を介して発せられ傍受される。送受信部１３２０は、送信信号又は受信信号に対して信号処理を行う。メモリ１３３０は、ＺＰ  ＣＳＩ−ＲＳ干渉測定リソース１３３２のプールを含むデータの格納に用いられてよい。
【００４８】
プロセッサ１３１０は、ノードによるサービスを受けるユーザーイクイップメント（ＵＥ）がＣＳＩに関する干渉測定を行う際に用いるＣＳＩ−ＩＭリソースを決定する。プロセッサは、被サービスＵＥに送信されるサブフレームにおいて決定されたＣＳＩ−ＩＭリソースの位置を変化させるためのホッピングパターンを決定する。決定されたＣＳＩ−ＩＭリソース及び決定されたＣＳＩ−ＩＭリソースホッピングパターンは、ノード及びＵＥへの送信のために、送受信部１３２０に提供される。決定されたＣＳＩ−ＩＭリソース及び決定されたＣＳＩ−ＩＭリソースホッピングパターンに基づくゼロパワー（ＺＰ）ＣＳＩ−ＲＳは、被サービスＵＥへの送信のために、送受信部に提供される。被サービスＵＥにより受信されたＣＳＩ−ＩＭと被サービスＵＥに提供されたＺＰ  ＣＳＩ−ＲＳとに基づく、被サービスＵＥからの干渉測定結果は、プロセッサ１３１０により処理される。送受信部１３２０により送信されるＣＳＩ−ＩＭと隣接ノードのＣＳＩ−ＩＭとのコリジョンは、決定されたＣＳＩ−ＩＭリソースホッピングパターンにより最小限に抑えられる。プロセッサ１３１０は更に、擬似乱数を生成し、ＣＳＩ−ＩＭリソースの位置を定義して、擬似乱数を用いて、サブフレームにおけるＣＳＩ−ＩＭリソースの位置を時間領域において変化させるように構成される。プロセッサ１３１０はまた、サブフレームのサブフレーム周期及びオフセットを選択する。ホッピングパターンは、少なくとも２つのＣＳＩ−ＲＳパラメーターresourceConfigにより定められ、周期及びオフセットは、少なくとも２つのＣＳＩ−ＲＳパラメーターsubframeConfigにより定められる。プロセッサ１３１０はまた、以下の式に従ってホッピングパターンを決定してよい。
【数１１】
0005912003.tif 000012
ここで、
【数１２】
0005912003.tif 000013
はＣＳＩ−ＩＭリソースプールPCSI-IMからＣＳＩ−ＩＭを選択するための乱数値であり、（ns）はスロット又はサブフレームの識別子であり、NCSI-IMは構成されるＣＳＩ−ＩＭリソースプールに含まれるＣＳＩ−ＩＭリソースの数であり、c(i)は擬似乱数シーケンスである。
【００４９】
補注及び実施例
実施例１は、サービングセルが、被サービスユーザーイクイップメント（ＵＥ）が干渉測定を行うために用いるＣＳＩ−ＩＭリソースを決定するステップと、ＲＣシグナリングを用いて、前記決定されたＣＳＩ−ＩＭリソースを前記被サービスＵＥに送信するステップと、前記サービングセルが、サービングセル干渉を排除するために、ＲＲＣシグナリングを用いて、前記決定されたＣＳＩ−ＩＭリソースに従って、ゼロパワー（ＺＰ）ＣＳＩ−ＲＳを送信するステップと、前記サービングセルが、前記サービングセルから前記被サービスＵＥにより受信された前記ＣＳＩ−ＩＭリソースと、前記サービングセルから前記被サービスＵＥに送信された前記ＺＰ  ＣＳＩ−ＲＳとを用いて前記被サービスＵＥにより実行された干渉測定に対応するＣＳＩフィードバックを、受信するステップと、を含む主題（工程を実行する方法、手段等）を含んでよい。
【００５０】
実施例２は、任意に実施例１の主題を含んでよい。本実施例は、更に、サービングセルが、擬似乱数を生成するステップと、前記サービングセルが、前記ＣＳＩ−ＩＭリソースの位置の値を定義して、前記擬似乱数を用いて、サブフレームにおける前記ＣＳＩ−ＩＭリソースの前記位置を時間領域において変化させるステップと、を含む。
【００５１】
実施例３は、任意に実施例１及び２のうちいずれか１又は複数の主題を含んでよい。本実施例は、更に、前記サービングセルが、サブフレームに複数のＣＳＩ−ＩＭリソースを設けるステップ、を含む。ここで、前記サービングセルが、サブフレームに設ける前記ＣＳＩ−ＩＭリソースを決定する前記ステップは、前記サービングセルが、前記サービングセルに関してサブフレーム周期及びオフセットを選択するステップ、を含む。
【００５２】
実施例４は、実施例１〜３のうちいずれか１又は複数の主題を含んでよい。本実施例は、更に、被サービスＵＥに送信されるサブフレームにおいて前記決定されたＣＳＩ−ＩＭリソースの位置を変化させるためのホッピングパターンを決定し、前記決定されたＣＳＩ−ＩＭリソースホッピングパターンを、ＲＲＣシグナリングを用いて前記被サービスＵＥに送信するステップ、を含む。ここで、ホッピングパターンを決定するステップは、異なるノードのＣＳＩ−ＩＭリソース間のコリジョンを最小限に抑えるホッピングパターンを選択するステップ、を含む。前記サブフレームのサブフレーム周期及びオフセットを選択する前記ステップは、少なくとも２つのＣＳＩ−ＲＳsubframeConfigメッセージを用いて、前記周期及び前記オフセットを定義するステップ、を含む。
【００５３】
実施例５は、任意に実施例１〜４のうちいずれか１又は複数の主題を含んでよい。本実施例では、前記サービングセルがホッピングパターンを決定する前記ステップは、  以下の式、
【数１３】
0005912003.tif 000014
に従って擬似乱数シーケンスホッピング関数を定義するステップ、を含む。式中、
【数１４】
0005912003.tif 000015
は、前記ＣＳＩ−ＩＭを構成されたＣＳＩ−ＩＭリソースプールPCSI-IMから選択するため
の乱数値であり、（ns）は、サブフレームの識別子であり、NCSI-IMは、前記構成されたＣ
ＳＩ−ＩＭリソースプールに含まれるＣＳＩ−ＩＭリソースの数であり、c(i)は、３１長Ｇｏｌｄシーケンス（length-31  Gold  Sequence）から生成される擬似乱数シーケンスである。
【００５４】
実施例６は、任意に実施例１〜５のうちいずれか１又は複数の主題を含んでよい。本実施例では、サービングセルがサービス対象ユーザーイクイップメント（ＵＥ）が干渉測定を行うために用いるＣＳＩ−ＩＭリソースを決定する前記ステップは、異なるタイプのサブフレームに存在するリソース構成と複数のサブフレーム構成とを決定するステップであって、第１のサブフレーム構成及び第１のリソース構成は第１のタイプのサブフレームに存在し、第２のサブフレーム構成は第２のタイプのサブフレームに存在する、ステップ、を含む。
【００５５】
実施例７は、任意に実施例１〜６のうちいずれか１又は複数の主題を含んでよい。本実施例では、サービングセルが被サービスユーザーイクイップメント（ＵＥ）が干渉測定を行うために用いるＣＳＩ−ＩＭリソースを決定する前記ステップは、第１のサブフレーム構成及び第１のリソース構成を含む第１のサブフレームセットを決定し、第２のサブフレーム構成を含む第２のサブフレームセットを決定するステップ、を含む。ここで、前記第１のサブフレームセットと前記第２のサブフレームセットは、フレキシブルサブフレームと非フレキシブルサブフレームに関して独立した干渉測定を提供するように構成される。
【００５６】
実施例８は、ユーザーイクイップメント（ＵＥ）において、サービングセルから、当該サービングセルを含むノードに対して干渉測定を行うために当該ＵＥが用いるＣＳＩ−ＩＭリソースを受信するステップと、サービングセル干渉を排除するために、前記サービングセルからゼロパワー（ＺＰ）ＣＳＩ−ＲＳを受信するステップと、受信された前記ＣＳＩ−ＩＭリソース及び前記ＺＰ  ＣＳＩ−ＲＳに基づいて、干渉測定を行うステップと、前記干渉測定に基づき、前記サービングセルにチャネル状態情報フィードバックを提供するステップと、を含む主題（工程を実行する方法、手段等）を含んでよい。
【００５７】
実施例９は、任意に実施例８の主題を含んでよい。本実施例では、サービングセルからＣＳＩ−ＩＭリソースを受信する前記ステップは、｛resourceConfig0，subframeConfig0｝及び｛subframeConfig1｝を含む少なくとも２つのパラメーターセットを含むＣＳＩ−ＩＭリソースを受信するステップ、を含む。
【００５８】
実施例１０は、任意に実施例８及び９のうちいずれか１又は複数の主題を含んでよい。本実施例は、更に、ＣＳＩ−ＩＭリソースホッピングパターンを受信するステップであって、前記ホッピングパターンを定義する少なくとも２つのＣＳＩ−ＲＳresourceConfigメッセージを受信するステップと、サブフレーム周期及びオフセットを定義する少なくとも２つのsubframeConfigメッセージを受信するステップと、を含むステップ、を含む。
【００５９】
実施例１１は、任意に実施例８〜１０のうちいずれか１又は複数の主題を含んでよい。本実施例では、ＣＳＩ−ＩＭリソースホッピングパターンを受信する前記ステップは、以下の式、
【数１５】
0005912003.tif 000016
に従って定義されるホッピングパターンを受信するステップ、を含む。式中、
【数１６】
0005912003.tif 000017
は、構成されたＣＳＩ−ＩＭリソースプールから前記ＣＳＩ−ＩＭを選択するための乱数値であり、（ns）は、サブフレームの識別子であり、NCSI-IMは、前記構成されたＣＳＩ−ＩＭリソースプールに含まれるＣＳＩ−ＩＭリソースの数であり、c(i)は、３１長Ｇｏｌｄシーケンス（length-31  Gold  Sequence）から生成される擬似乱数シーケンスである。
【００６０】
実施例１２は、任意に実施例８〜１１のうちいずれか１又は複数の主題を含んでよい。本実施例では、前記ＵＥにおいて前記サービングセルからサブフレームでＣＳＩ−ＩＭリソース及び前記ＺＰ  ＣＳＩ−ＲＳを受信する前記ステップは、前記サブフレームに関するサブフレーム周期及びオフセットに従って、ＣＳＩ−ＩＭリソース及び前記ＺＰ  ＣＳＩ−ＲＳを受信するステップであって、当該サブフレーム周期及びオフセットは、前記サービングセルにより定義され、前記サービングセルから受信される前記ＣＳＩ−ＩＭリソースで提供される、ステップ、を含む。
【００６１】
実施例１３は、任意に実施例８〜１２のうちいずれか１又は複数の主題を含んでよい。本実施例では、ＵＥにおいて、サービングセルから、当該サービングセルを含むノードに対して干渉測定を行うために当該ＵＥが用いるＣＳＩ−ＩＭリソースを受信する前記ステップは、異なるタイプのサブフレームに存在するリソース構成と複数のサブフレーム構成とを受信するステップであって、第１のサブフレーム構成及び第１のリソース構成は第１のタイプのサブフレームに存在し、第２のサブフレーム構成は第２のタイプのサブフレームに存在する、ステップ、を含む。
【００６２】
実施例１４は、任意に実施例８〜１３のうちいずれか１又は複数の主題を含んでよい。本実施例では、ＵＥにおいて、サービングセルから、当該サービングセルを含むノードに対して干渉測定を行うために当該ＵＥが用いるＣＳＩ−ＩＭリソースを受信する前記ステップは、第１のサブフレーム構成及び第１のリソース構成を含む第１のサブフレームセットを受信し、第２のサブフレーム構成を含む第２のサブフレームセットを受信するステップ、を含む。ここで、前記第１のサブフレームセットと前記第２のサブフレームセットは、フレキシブルサブフレームと非フレキシブルサブフレームに対して独立した干渉測定を提供するように構成される。
【００６３】
実施例１５は、任意に実施例８〜１４のうちいずれか１又は複数の主題を含んでよい。本実施例では、受信された前記ＣＳＩ−ＩＭリソースに基づいて干渉測定を行う前記ステップは、記第１のサブフレームセット及び前記第２のサブフレームセットを処理し、処理された前記第１のサブフレームセット及び前記第２のサブフレームセットに基づいて、干渉測定を行うステップ、を含む。
【００６４】
実施例１６は、任意に実施例８〜１５のうちいずれか１又は複数の主題を含んでよい。本実施例では、ＵＥにおいて、サービングセルから、当該サービングセルを含むノードに対して干渉測定を行うために当該ＵＥが用いるＣＳＩ−ＩＭリソースを受信する前記ステップは、少なくとも２つのパラメーターセットを受信するステップであって、当該少なくとも２つのパラメーターセットは異なるタイプのサブフレームに存在する、ステップ、を含む。ここで、第１のサブフレーム構成及び第１のリソース構成は第１のタイプのサブフレームに存在し、第２のサブフレーム構成及び第２のリソース構成は第２のタイプのサブフレームに存在する。受信された前記ＣＳＩ−ＩＭリソースに基づいて干渉測定を行う前記ステップは、処理された前記異なるタイプのサブフレームに存在する少なくとも２つのパラメーターセットに基づいて、干渉測定を行うステップ、を含む。
【００６５】
実施例１７は、任意に実施例８〜１６のうちいずれか１又は複数の主題を含んでよい。本実施例では、前記少なくとも２つのパラメーターセットのうち、第１のサブフレーム構成及び第１のリソース構成を有する第１のパラメーターセットと、前記少なくとも２つのパラメーターセットのうち、第２のサブフレーム構成及び第２のリソース構成を有する第２のパラメーターセットと、を処理するステップ、を更に含む。ここで、受信された前記ＣＳＩ−ＩＭリソースに基づいて干渉測定を行う前記ステップは、前記第１のサブフレームセットと前記第２のサブフレームセットに基づいて、フレキシブルサブフレームと非フレキシブルサブフレームに対して独立した干渉測定を提供するステップ、を含む。
【００６６】
実施例１８は、サービングノードに関する主題（デバイス、装置、クライアント、システム等）を含む。当該サービングノードは、データを格納するメモリと、前記メモリに結合され、前記メモリからのデータを含む通信に関連する信号を処理するプロセッサと、前記プロセッサに結合され、通信に関連する信号を送受信するように構成される送受信部と、送信信号を放射し受信信号を傍受する少なくとも１つのアンテナと、を備える。前記プロセッサは更に、当該サービングセルによるサービスを受ける被サービスユーザーイクイップメント（ＵＥ）が干渉測定を行うために用いるＣＳＩ−ＩＭリソースを決定し、前記決定されたＣＳＩ−ＩＭリソースを、前記被サービスＵＥへの送信のために前記送受信部に提供し、サービングセル干渉を排除するために、前記決定されたＣＳＩ−ＩＭリソースに従って、ゼロパワー（ＺＰ）ＣＳＩ−ＲＳを、前記被サービスＵＥへの送信のために前記送受信部に提供し、前記被サービスＵＥにより受信されたＣＳＩ−ＩＭと、前記サービングセルから前記被サービスＵＥに提供された前記ＺＰ  ＣＳＩ−ＲＳとに基づく、前記被サービスＵＥから受信された干渉測定結果を処理する、ように構成される。
【００６７】
実施例１９は、任意に実施例１６〜１８の主題を含んでよい。本実施例では、前記プロセッサは更に、擬似乱数を生成し、また、前記ＣＳＩ−ＩＭリソースの位置の値を定義して、前記擬似乱数を用いて、サブフレームにおける前記ＣＳＩ−ＩＭリソースの前記位置を時間領域において変化させるように構成される。
【００６８】
実施例２０は、任意に実施例１８及び１９のうちいずれか１又は複数の主題を含んでよい。本実施例では、前記プロセッサは更に、前記サブフレームに関するサブフレーム周期及びオフセットを選択するように構成される。ここで、前記プロセッサは更に、被サービスＵＥに送信されるサブフレームにおいて前記決定されたＣＳＩ−ＩＭリソースの位置を変化させるためのホッピングパターンを決定し、前記決定されたＣＳＩ−ＩＭリソース及び前記決定されたＣＳＩ−ＩＭリソースホッピングパターンを、前記被サービスＵＥへの送信のために前記送受信部に、選択された前記周期及び前記オフセットを用いて提供するように構成される。前記決定されたホッピングパターンにより、前記送受信部により送信される前記ＣＳＩ−ＩＭと隣接ノードのＣＳＩ−ＩＭとのコリジョンは、最低限に抑えられる。
【００６９】
実施例２１は、任意に実施例１８〜２０のうちいずれか１又は複数の主題を含んでよい。本実施例では、前記プロセッサは更に、以下の式、
【数１７】
0005912003.tif 000018
に従って前記ホッピングパターンを決定するように構成される。式中、
【数１８】
0005912003.tif 000019
は、構成されたＣＳＩ−ＩＭリソースプールPCSI-IMから前記ＣＳＩ−ＩＭを選択するための乱数値であり、（ns）は、サブフレームの識別子であり、NCSI-IMは、前記構成されたＣＳＩ−ＩＭリソースプールに含まれるＣＳＩ−ＩＭリソースの数であり、c(i)は、３１長Ｇｏｌｄシーケンス（length-31  Gold  Sequence）から生成される擬似乱数シーケンスである。
【００７０】
実施例２２は、任意に実施例１８〜２１のうちいずれか１又は複数の主題を含んでよい。本実施例では、前記プロセッサは更に、｛resourceConfig0，subframeConfig0｝及び｛subframeConfig1｝を含む少なくとも２つのパラメーターセットを決定することにより、ＣＳＩ−ＩＭリソースを決定するように構成される。前記少なくとも２つのパラメーターセットは異なるタイプのサブフレームに存在し、第１のサブフレーム構成及び第１のリソース構成は第１のタイプのサブフレームに存在し、第２のサブフレーム構成は第２のタイプのサブフレームに存在する。
【００７１】
実施例２３は、任意に実施例１８〜２２のうちいずれか１又は複数の主題を含んでよい。本実施例では、前記プロセッサは更に、前記異なるタイプのサブフレームに存在する少なくとも２つのパラメーターセットに基づいて、フレキシブルサブフレームと非フレキシブルサブフレームに対して独立した干渉測定を提供するように構成される。
【００７２】
実施例２４は、ユーザーイクイップメントに関する主題（デバイス、装置、クライアント、システム等）を含む。当該ユーザーイクイップメントは、通信に関連する信号を処理するプロセッサと、前記プロセッサに結合され、通信に関連する信号を送受信するように構成される送受信部と、を備える。前記プロセッサは更に、前記送受信部から、無線リソース制御シグナリングを用いて、サービングセルからのＣＳＩ−ＩＭリソースを受信し、受信された前記ＣＳＩ−ＩＭリソースを処理して、サービングセルを含むノードに対して干渉測定を行い、サービングセル干渉を排除するために、前記サービングノードから前記送受信部において受信されるゼロパワー（ＺＰ）ＣＳＩ−ＲＳ（reference  signal、参照信号）を処理し、前記サービングセルから前記送受信部において受信される前記ＣＳＩ−ＩＭリソースに基づいて、サービングセルを含むノードに関連する干渉測定を行い、前記干渉測定に基づいて、前記サービングセルにＣＳＩフィードバックを提供する、ように構成される。
【００７３】
実施例２５は、任意に実施例２４の主題を含んでよい。本実施例では、前記プロセッサは更に、ＣＳＩ−ＩＭ及び前記ＺＰ  ＣＳＩ−ＲＳを、前記サービングセルからサブフレームで、当該サブフレームに関するサブフレーム周期及びオフセットに従って受信するように構成される。当該サブフレーム周期及びオフセットは、前記サービングセルにより定義され、前記サービングセルから受信される前記ＣＳＩ−ＩＭリソースで提供される。
【００７４】
実施例２６は、任意に実施例２４及び２５のうちいずれか１又は複数の主題を含んでよい。本実施例では、前記プロセッサは更に、サービングセルから前記送受信部において受信される、前記ＣＳＩ−ＩＭリソースのサブフレームにおける位置を変化させるためのＣＳＩ−ＩＭリソースホッピングパターンを処理し、前記受信されたＣＳＩ−ＩＭリソースホッピングパターンに従って、サブフレームにおける位置で、前記サービングセルからＣＳＩ−ＩＭ及び前記ＺＰ  ＣＳＩ−ＲＳを受信するように構成される。
【００７５】
実施例２７は、任意に実施例２４〜２６のうちいずれか１又は複数の主題を含んでよい。本実施例では、前記ホッピングパターンは、以下の式、
【数１９】
0005912003.tif 000020
に従って定義されてよい。式中、
【数２０】
0005912003.tif 000021
は、構成されたＣＳＩ−ＩＭリソースプールPCSI-IMから前記ＣＳＩ−ＩＭを選択するための乱数値であり、（ns）は、サブフレームの識別子であり、NCSI-IMは、前記構成されたＣＳＩ−ＩＭリソースプールに含まれるＣＳＩ−ＩＭリソースの数であり、c(i)は、３１長Ｇｏｌｄシーケンス（length-31  Gold  Sequence）から生成される擬似乱数シーケンスである。
【００７６】
実施例２８は、任意に実施例２４〜２７のうちいずれか１又は複数の主題を含んでよい。本実施例では、サービングセルからＣＳＩ−ＩＭリソースを受信する工程は、｛resourceConfig0，subframeConfig0｝及び｛subframeConfig1｝を含む少なくとも２つのパラメーターセットを含むＣＳＩ−ＩＭリソースを受信する工程、を含む。前記プロセッサは更に、前記少なくとも２つのパラメーターセットを処理するように構成される。前記プロセッサは更に、前記処理された少なくとも２つのパラメーターセットに基づいて、前記サービングセルを含む前記ノードに関連する干渉測定を行うように構成される。
【００７７】
実施例２９は、任意に実施例２４〜２８のうちいずれか１又は複数の主題を含んでよい。本実施例では、前記少なくとも２つのパラメーターセットは異なるタイプのサブフレームに存在し、第１のサブフレーム構成及び第１のリソース構成は第１のタイプのサブフレームに存在し、第２のサブフレーム構成は第２のタイプのサブフレームに存在する。前記プロセッサは更に、処理された前記異なるタイプのサブフレームに存在する少なくとも２つのパラメーターセットに基づいて、干渉測定を行うように構成される。
【００７８】
実施例３０は、任意に実施例２４〜２９のうちいずれか１又は複数の主題を含んでよい。本実施例では、前記少なくとも２つのパラメーターセットは、フレキシブルサブフレームと非フレキシブルサブフレームに対して独立した干渉測定を提供するように構成される。
【００７９】
実施例３１は、サービングセルが、被サービスユーザーイクイップメント（ＵＥ）が干渉測定を行うために用いるＣＳＩ−ＩＭリソースを決定するステップと、ＲＲＣシグナリングを用いて、前記決定されたＣＳＩ−ＩＭリソースを前記被サービスＵＥに送信するステップと、前記サービングセルが、サービングセル干渉を排除するために、ＲＲＣシグナリングを用いて、前記決定されたＣＳＩ−ＩＭリソースに従って、ゼロパワー（ＺＰ）ＣＳＩ−ＲＳを送信するステップと、前記サービングセルが、前記サービングセルから前記被サービスＵＥにより受信されたＣＳＩ−ＩＭと、前記サービングセルから前記被サービスＵＥに送信された前記ＺＰ  ＣＳＩ−ＲＳとを用いて前記被サービスＵＥにより実行された干渉測定に対応するＣＳＩフィードバックを、受信するステップと、を含む主題（工程を実行する手段、マシンに実行された場合に当該マシンに工程を実行させる命令を有するマシン可読媒体等）を含む。
【００８０】
実施例３２は、任意に実施例３１の主題を含んでよい。本実施例は、更に、サービングセルが、擬似乱数を生成するステップと、前記サービングセルが、前記ＣＳＩ−ＩＭリソースの位置の値を定義して、前記擬似乱数を用いて、サブフレームにおける前記ＣＳＩ−ＩＭリソースの前記位置を時間領域において変化させるステップ、を含む。
【００８１】
実施例３３は、任意に実施例３１及び３２のうちいずれか１又は複数の主題を含んでよい。本実施例は、更に、前記サービングセルが、サブフレームに複数のＣＳＩ−ＩＭリソースを設けるステップ、を含む。ここで、前記サービングセルが、サブフレームに設ける前記ＣＳＩ−ＩＭリソースを決定する前記ステップは、前記サービングセルが、前記サブフレームに関するサブフレーム周期及びオフセットを選択するステップ、を含む。
【００８２】
実施例３４は、任意に実施例３１〜３３のうちいずれか１又は複数の主題を含んでよい。本実施例は、更に、前記サービングセルが、少なくとも２つのＣＳＩ−ＲＳresourceConfigメッセージを用いて、被サービスＵＥに送信されるサブフレームにおいて前記決定されたＣＳＩ−ＩＭリソースの位置を変化させるためのホッピングパターンを決定し、前記決定されたＣＳＩ−ＩＭリソースホッピングパターンを、ＲＲＣシグナリングを用いて前記被サービスＵＥに提供するステップ、を含む。ここで、ホッピングパターンを決定する前記ステップは、異なるノードのＣＳＩ−ＩＭリソース間のコリジョンを最小限に抑えるホッピングパターンを選択するステップ、を含む。前記サブフレームのサブフレーム周期及びオフセットを選択する前記ステップは、少なくとも２つのＣＳＩ−ＲＳsubframeConfigメッセージを用いて、前記周期及び前記オフセットを定義するステップ、を含む。
【００８３】
実施例３５は、任意に実施例３１〜３４のうちいずれか１又は複数の主題を含んでよい。本実施例では、前記サービングセルがホッピングパターンを決定する前記ステップは、以下の式、
【数２１】
0005912003.tif 000022
に従って擬似乱数シーケンスホッピング関数を定義するステップ、を含む。式中、
【数２２】
0005912003.tif 000023
は、構成されたＣＳＩ−ＩＭリソースプールPCSI-IMから前記ＣＳＩ−ＩＭを選択するため
の乱数値であり、（ns）は、サブフレームの識別子であり、NCSI-IMは、前記構成されたＣ
ＳＩ−ＩＭリソースプールに含まれるＣＳＩ−ＩＭリソースの数であり、c(i)は、３１長Ｇｏｌｄシーケンス（length-31  Gold  Sequence）から生成される擬似乱数シーケンスである。
【００８４】
実施例３６は、任意に実施例３１〜３５のうちいずれか１又は複数の主題を含んでよい。本実施例では、サービングセルが、被サービスユーザーイクイップメント（ＵＥ）が干渉測定を行うために用いるＣＳＩ−ＩＭリソースを決定する前記ステップは、異なるタイプのサブフレームに存在するリソース構成と複数のサブフレーム構成とを決定するステップであって、第１のサブフレーム構成及び第１のリソース構成は第１のタイプのサブフレームに存在し、第２のサブフレーム構成は第２のタイプのサブフレームに存在する、ステップ、を含む。
【００８５】
実施例３７は、任意に実施例３１〜３６のうちいずれか１又は複数の主題を含んでよい。本実施例では、サービングセルが、被サービスユーザーイクイップメント（ＵＥ）が干渉測定を行うために用いるＣＳＩ−ＩＭリソースを決定する前記ステップは、第１のサブフレーム構成及び第１のリソース構成を含む第１のサブフレームセットを決定し、第２のサブフレーム構成を含む第２のサブフレームセットを決定するステップ、を含む。ここで、前記第１のサブフレームセットと前記第２のサブフレームセットは、フレキシブルサブフレームと非フレキシブルサブフレームに関して独立した干渉測定を提供するように構成される。
【００８６】
実施例３８は、ユーザーイクイップメント（ＵＥ）において、サービングセルから、当該サービングセルを含むノードに対して干渉測定を行うために当該ＵＥが用いるＣＳＩ−ＩＭリソースを受信するステップと、前記サービングセルから、サービングセル干渉を排除するために、ゼロパワー（ＺＰ）ＣＳＩ−ＲＳを受信するステップと、受信された前記ＣＳＩ−ＩＭリソース及び前記ＺＰ  ＣＳＩ−ＲＳに基づいて、干渉測定を行うステップと、前記干渉測定に基づき、前記サービングセルにＣＳＩフィードバックを提供するステップと、を含む主題（工程を実行する手段、マシンに実行された場合に当該マシンに工程を実行させる命令を有するマシン可読媒体等）を含んでよい。
【００８７】
実施例３９は、任意に実施例３８の主題を含んでよい。本実施例では、サービングセルからＣＳＩ−ＩＭリソースを受信する前記ステップは、｛resourceConfig0，subframeConfig0｝及び｛subframeConfig1｝を含む少なくとも２つのパラメーターセットを含むＣＳＩ−ＩＭリソースを受信するステップ、を含む。
【００８８】
実施例４０は、任意に実施例３８及び３９のうちいずれか１又は複数の主題を含んでよい。本実施例は、更に、ＣＳＩ−ＩＭリソースホッピングパターンを受信するステップであって、当該ホッピングパターンを定義する少なくとも２つのＣＳＩ−ＲＳresourceConfigメッセージを受信するステップと、サブフレーム周期及びオフセットを定義する少なくとも２つのsubframeConfigメッセージを受信するステップと、を含むステップ、を含む。
【００８９】
実施例４１は、実施例３８〜４０のうちいずれか１又は複数の主題を含んでよい。本実施例では、ＣＳＩ−ＩＭリソースホッピングパターンを受信する前記ステップは、以下の式、
【数２３】
0005912003.tif 000024
に従って定義されるホッピングパターンを受信するステップ、を含む。式中、
【数２４】
0005912003.tif 000025
は、構成されたＣＳＩ−ＩＭリソースプールから前記ＣＳＩ−ＩＭを選択するための乱数値であり、（ns）は、サブフレームの識別子であり、NCSI-IMは、前記構成されたＣＳＩ−ＩＭリソースプールに含まれるＣＳＩ−ＩＭリソースの数であり、c(i)は、３１長Ｇｏｌｄシーケンス（length-31  Gold  Sequence）から生成される擬似乱数シーケンスである。
【００９０】
実施例４２は、任意に実施例３８〜４１のうちいずれか１又は複数の主題を含んでよい。本実施例では、前記ＵＥにおいて前記サービングセルからサブフレームでＣＳＩ−ＩＭリソース及び前記ＺＰ  ＣＳＩ−ＲＳを受信する前記ステップは、前記サブフレームに関するサブフレーム周期及びオフセットに従って、ＣＳＩ−ＩＭリソース及び前記ＺＰ  ＣＳＩ−ＲＳを受信するステップであって、当該サブフレーム周期及びオフセットは、前記サービングセルにより定義され、前記サービングセルから受信される前記ＣＳＩ−ＩＭリソースで提供される、ステップ、を含む。
【００９１】
実施例４３は、任意に実施例３８〜４２のうちいずれか１又は複数の主題を含んでよい。本実施例では、ＵＥにおいて、サービングセルから、当該サービングセルを含むノードに対して干渉測定を行うために当該ＵＥが用いるＣＳＩ−ＩＭリソースを受信する前記ステップは、異なるタイプのサブフレームに存在するリソース構成と複数のサブフレーム構成とを受信するステップであって、第１のサブフレーム構成及び第１のリソース構成は第１のタイプのサブフレームに存在し、第２のサブフレーム構成は第２のタイプのサブフレームに存在する、ステップ、を含む。
【００９２】
実施例４４は、任意に実施例３８〜４３のうちいずれか１又は複数の主題を含んでよい。本実施例では、ＵＥにおいて、サービングセルから、当該サービングセルを含むノードに対して干渉測定を行うために当該ＵＥが用いるＣＳＩ−ＩＭリソースを受信する前記ステップは、第１のサブフレーム構成及び第１のリソース構成を含む第１のサブフレームセットを受信し、第２のサブフレーム構成を含む第２のサブフレームセットを受信するステップ、を含む。ここで、前記第１のサブフレームセットと前記第２のサブフレームセットは、フレキシブルサブフレームと非フレキシブルサブフレームに対して独立した干渉測定を提供するように構成される。
【００９３】
実施例４５は、任意に実施例３８〜４４のうちいずれか１又は複数の主題を含んでよい。本実施例では、受信された前記ＣＳＩ−ＩＭリソースに基づいて干渉測定を行う前記ステップは、前記第１のサブフレームセット及び前記第２のサブフレームセットを処理し、処理された前記第１のサブフレームセット及び前記第２のサブフレームセットに基づいて、干渉測定を行うステップ、を含む。
【００９４】
実施例４６は、任意に実施例３８〜４５のうちいずれか１又は複数の主題を含んでよい。本実施例では、ＵＥにおいて、サービングセルから、当該サービングセルを含むノードに対して干渉測定を行うために当該ＵＥが用いるＣＳＩ−ＩＭリソースを受信する前記ステップは、少なくとも２つのパラメーターセットを受信するステップであって、当該少なくとも２つのパラメーターセットは異なるタイプのサブフレームに存在する、ステップ、を含む。ここで、第１のサブフレーム構成及び第１のリソース構成は第１のタイプのサブフレームに存在し、第２のサブフレーム構成及び第２のリソース構成は第２のタイプのサブフレームに存在する。受信された前記ＣＳＩ−ＩＭリソースに基づいて干渉測定を行う前記ステップは、処理された前記異なるタイプのサブフレームに存在する少なくとも２つのパラメーターセットに基づいて、干渉測定を行うステップ、を含む。
【００９５】
実施例４７は、任意に実施例３８〜４６のうちいずれか１又は複数の主題を含んでよい。本実施例は、更に、前記少なくとも２つのパラメーターセットのうち、第１のサブフレーム構成及び第１のリソース構成を有する第１のパラメーターセットと、前記少なくとも２つのパラメーターセットのうち、第２のサブフレーム構成及び第２のリソース構成を有する第２のパラメーターセットと、を処理するステップ、を含む。ここで、受信された前記ＣＳＩ−ＩＭリソースに基づいて干渉測定を行う前記ステップは、前記第１のサブフレームセットと前記第２のサブフレームセットに基づいて、フレキシブルサブフレームと非フレキシブルサブフレームに対して独立した干渉測定を提供するステップ、を含む。
【００９６】
上記の詳細な説明は添付図面の参照を含み、当該図面は、詳細な説明の一部を成す。図面は、例示として、実施可能な具体的な実施形態を示す。これらの実施形態は、本明細書において「実施例」とも呼ばれる。このような実施例は、記載又は図示された要素とは別の要素を含んでよい。しかしながら、図示又は記載された要素を含む実施例も考えられる。更に特定の実施例（或いは、その１又は複数の態様）、又は、本明細書に図示又は記載された他の実施例（或いは、それらの１又は複数の態様）に関して、図示又は記載された要素の任意の組合わせ又は置換（或いは、それらの１又は複数の態様）を用いる実施例も考えられる。
【００９７】
本明細書で参照される刊行物、特許及び特許文献は、参照により個別に援用されるかのように、参照によりその全体が本明細書に援用される。本明細書と参照により援用される当該文献との間で語法が一致しない場合、援用される参照文献での語法は、本明細書の語法に対して補助的なものであり、矛盾が生じる場合は、本明細書での語法が考慮される。
【００９８】
本明細書において、特許文書では一般的であるように、ある要素が複数あると指定されていない場合でも、他の用例又は「少なくとも１つ」若しくは「１又は複数」の用法とは無関係に、当該要素が１又は２以上ある場合を含む。本明細書において、「又は」という言葉は、非排他的なものを指すのに用いられる。例えば、「Ａ又はＢ」は、別段の指定がない限り、「ＡでありＢでない」、「ＢでありＡでない」及び「Ａ及びＢ」を含む。特許請求の範囲において、"including"と"in  which"は、それぞれ"comprising"と"wherein"の平易な英語の同義語として用いられる。また、特許請求の範囲において、「有する」及び「備える」は非制限的（open-ended）である。すなわち、特許請求の範囲に列挙された要素以外の要素を含むシステム、デバイス、項目又はプロセスも、特許請求の範囲に包含されるものとみなされる。更に、特許請求の範囲において、「第１」、「第２」、「第３」等の表現はラベルとして用いられるに過ぎず、要素の番号順を示唆するものではない。
上記の説明は例示であり、限定ではない。例えば、上述の実施例（或いは、それらの１又は複数の態様）は、他の実施例と組み合わされてよい。他の実施形は、上記を検討した当該技術分野の当業者等により使用されてよい。要約書は、例えばアメリカ合衆国の３７ＣＦＲ（the  Code  of  Federal  Regulations）１．７２（ｂ）に従って、読者がすぐに本技術的開示の本質を確認できるようにするものである。要約書は、クレームの範囲又は意味の解釈又は限定に用いられるものではないという了解の下に、提出される。また、上記の詳細な説明では、本開示を合理化するために、様々な特徴をグループ化してよい。しかしながら、実施形態はクレームに記載の特徴のサブセットを含み得るので、本明細書に記載の特徴をクレームに記載しない場合がある。更に、実施形態は、特定の実施例において開示された特徴よりも少ない特徴を含んでよい。このように、以下の特許請求の範囲は、クレーム自体が個別の実施形態であるものとして、詳細な説明に援用される。本明細書に開示される実施形態の範囲は、特許請求の範囲と、特許請求の範囲が主張する権利のある均等物の全範囲とを参照して決定されるものである。
【図１】
0005912003.tif 000030
【図２】
0005912003.tif 000031
【図３】
0005912003.tif 000032
【図４】
0005912003.tif 000033
【図５】
0005912003.tif 000034
【図６】
0005912003.tif 000035
【図７】
0005912003.tif 000036
【図８】
0005912003.tif 000037
【図９】
0005912003.tif 000038
【図１０】
0005912003.tif 000039
【図１１】
0005912003.tif 000040
【図１２】
0005912003.tif 000041
【図１３】
0005912003.tif 000042